(57)【要約】【課題】自動車用フロントシート１０のシートバック１４のリクライニング角度を任意の角度にロックするリクライナー２２と、ヒンジピン２４を中心に回転操作されてリクライナー２２をロック解除可能とされたリクライニングレバー２６とを備える自動車用シートにおいて、リクライニングレバー２６が衝突荷重を受けてロック解除方向に回転モーメントを受けるとき、リクライニングレバー２６の重心を回転中心側に移動させて回転モーメントを小さくすることにより、ロック解除防止用スプリングを可及的に小さくして、リクライニングレバー２６のロック解除時の操作力を抑制する。【解決手段】衝突荷重の荷重方向に関して、リクライニングレバー２６の回転中心を挟んで操作部２６Ａの反対側に、操作部２６Ａの質量に相当する質量の追加操作部２６Ｂを備える。【選択図】図１
2014226994.tif 000002
【特許請求の範囲】
【請求項１】
乗物用シートの特定の可動部を移動しないようにロックするロック装置と、
回転中心に対して回転操作されて前記ロック装置をロック解除可能とされた操作レバーとを備える乗物用シートにおいて、
前記ロック装置をロック解除させる外力になるとして考慮すべき衝突荷重の荷重方向に関して、前記操作レバーの操作部の回転中心を挟んで反対側に前記操作部の質量に相当する質量の質量体を備えることを特徴とする乗物用シート。
【請求項２】
請求項１において、
前記質量体は、前記操作レバーにおける操作部位として、前記操作部に追加して設けられる追加操作部によって構成されていることを特徴とする乗物用シート。
【請求項３】
請求項２において、
前記ロック装置は、シートバックのリクライニング角度を任意の角度に固定するためのリクライナーであり、
前記操作レバーは、リクライナーの回転軸にシート外側から結合されて下前方に延びて形成され、先端が前記操作部とされ、
前記追加操作部は、前記操作レバーの回転中心を挟んで前記操作部の反対側に一体に形成され、前記回転中心から上後方に延びて形成され、
シートバックを前傾方向に付勢する前傾スプリングを備え、該前傾スプリングは、前記操作レバーよりもシート内側に配置されていることを特徴とする乗物用シート。
【発明の詳細な説明】
【技術分野】
【０００１】
本発明は、乗物用シートに関し、特に、乗物用シートの特定の可動部を移動しないようにロックするロック装置と、回転中心に対して回転操作されてロック装置をロック解除可能とされた操作レバーとを備える乗物用シートに関する。
【背景技術】
【０００２】
車両用シートにおけるシートバックのリクライニング角度を任意の角度にロックするためのリクライナーにおいて、リクライナーは、リクライニングレバーの非操作時にリクライナーがロック解除されないようにロック解除防止用スプリング（リターンスプリング）を備えている（下記特許文献１参照）。しかも、ロック解除防止用スプリングは、車両が前突してリクライニングレバーが車両前方への衝突荷重を受けても、リクライニングレバーがロック解除側に回転されないように設定されている。即ち、リクライニングレバーは、その回転中心より下側に延びて設けられているため、リクライニングレバーが前方への衝突荷重を受けると、リクライニングレバーは回転中心に対してロック解除方向に回転モーメントを受ける。しかし、ロック解除防止用スプリングは、その回転モーメントを相殺するように付勢力を働かせ、リクライニングレバーがロック解除側に回転されることを阻止している。
【先行技術文献】
【特許文献】
【０００３】
【特許文献１】特開２０１１−１３１６７５号公報
【発明の概要】
【発明が解決しようとする課題】
【０００４】
しかし、上記特許文献１のような従来技術では、リクライナーをロック解除するためリクライニングレバーをロック解除側に回転操作するとき、ロック解除防止用スプリングの付勢力に打ち勝って操作する必要があり、操作力を大きく必要とする問題がある。同様の問題は、車両を含む乗物用シートにおける他のロック装置でも同様に生じている。
このような問題に鑑み本発明の課題は、リクライニングレバーの如き操作レバーが衝突荷重を受けてロック解除方向に回転モーメントを受けるとき、操作レバーの重心を回転中心側に移動させて回転モーメントを小さくすることにより、ロック解除防止用スプリングを可及的に小さくして、操作レバーのロック解除時の操作力を抑制することにある。
【課題を解決するための手段】
【０００５】
本発明の第１発明は、乗物用シートの特定の可動部を移動しないようにロックするロック装置と、回転中心に対して回転操作されて前記ロック装置をロック解除可能とされた操作レバーとを備える乗物用シートにおいて、前記ロック装置をロック解除させる外力になるとして考慮すべき衝突荷重の荷重方向に関して、前記操作レバーの回転中心を挟んで反対側に、前記操作レバーの操作部の質量に相当する質量の質量体を備えることを特徴とする。
第１発明によれば、操作レバーの回転中心を挟んで反対側に、操作レバーの操作部の質量に相当する質量の質量体を備えるため、操作レバーに対して衝突荷重が加わったとき、操作レバーには、ロック装置をロック解除する方向の回転モーメントの発生が抑制される。即ち、衝突荷重の発生に伴って操作レバーに働く回転中心を中心とした回転モーメントは、質量体によって少なくとも一部が打ち消されて小さくされる。従って、ロック解除防止用スプリングを小さくするか、無くして、操作レバーのロック解除時の操作力を抑制することができる。ロック解除防止用スプリングを無くした場合は、スプリングのためのスプリング取付用の部品も無くすことができ、軽量化と低コスト化を図ることができる。
【０００６】
本発明の第２発明は、上記第１発明において、前記質量体は、前記操作レバーにおける操作部位として、前記操作部に追加して設けられる追加操作部によって構成されていることを特徴とする。
第２発明によれば、質量体が操作レバーにおける操作部位として必要とされる追加操作部とされているため、質量体として新たな部品を設ける必要をなくし、本来必要とされる部品によって構成することができる。
【０００７】
本発明の第３発明は、上記第２発明において、前記ロック装置は、シートバックのリクライニング角度を任意の角度に固定するためのリクライナーであり、前記操作レバーは、リクライナーの回転軸にシート外側から結合されて下前方に延びて形成され、先端が前記操作部とされ、前記追加操作部は、前記操作レバーの回転中心を挟んで前記操作部の反対側に一体に形成され、前記回転中心から上後方に延びて形成され、シートバックを前傾方向に付勢する前傾スプリングを備え、該前傾スプリングは、前記操作レバーよりもシート内側に配置されていることを特徴とする。
第３発明によれば、本発明をリクライナーの操作レバーに適用して、その操作レバーのロック解除防止用スプリングを無くすか、小さくすることができる。その結果、上記第１発明と同様、操作レバーのロック解除時の操作力を抑制することができ、しかもロック解除防止用スプリングを無くした場合は、軽量化と低コスト化を図ることができる。
また、操作性を考慮して操作レバーをシート外側に配置し、前傾スプリングを操作レバーよりシート内側に配置しているため、操作部の他に追加操作部を備えた操作レバーを、シート外側に大きく突出させることなく配置することができる。
【図面の簡単な説明】
【０００８】
【図１】本発明の第１実施形態の側面図である。
【図２】図１のＩＩ−ＩＩ線断面矢視図である。
【図３】上記第１実施形態における主要部の分解斜視図である。
【図４】本発明の第２実施形態の主要部の斜視図である。
【図５】図４の矢印Ｖ方向から見た側面図である。
【発明を実施するための形態】
【０００９】
<第１実施形態>
図１〜３は、本発明の第１実施形態を示す。第１実施形態は、自動車用フロントシートのリクライニングレバーに本発明を適用した例を示す。各図中、矢印によりシートを自動車に搭載した際の各方向を示している。以下の説明において、方向に関する記述は、この方向を基準として行うものとする。
自動車用フロントシート１０は、シートクッション１２とシートバック１４とを備え、シートクッション１２の骨格であるクッションフレーム１６とシートバック１４の骨格であるバックフレーム１８は、周知のようにクッションフレーム１６側のロアアーム４４を介してリクライナー２２によって連結されている。リクライナー２２は、一種のロック装置であり、シートクッション１２に対するシートバック１４の角度を任意の角度でロック可能としており、シートバック１４の後方のスペースを拡大するときには、リクライナー２２のロック状態を解除してシートバック１４を大きく前傾させることもできるようにされている。
【００１０】
リクライナー２２の回転中心には、回転軸としてのヒンジピン２４があり、このヒンジピン２４には、リクライニングレバー２６（本発明の操作レバーに相当）の回転中心が固定されている。リクライニングレバー２６は、回転中心から前下方に延びて操作部２６Ａが構成され、反対に回転中心から後上方に延びて追加操作部２６Ｂが構成されている。
リクライニングレバー２６の操作部２６Ａを前方に向けて回転操作すると、ヒンジピン２４を介してリクライナー２２のロック状態が解除される。リクライニングレバー２６の追加操作部２６Ｂを後方に向けて回転操作しても、ヒンジピン２４を介してリクライナー２２のロック状態が解除される。このようなリクライニングレバー２６の回転操作を行わない状態では、リクライナー２２は、リクライナー２２内のロックスプリング（不図示）によりロック状態に維持される。
リクライニングレバー２６の操作部２６Ａの前方への回転操作は、通常はシート１０に着座した乗員によって行われ、リクライニングレバー２６の追加操作部２６Ｂの後方への回転操作は、通常はシート１０の後方にいる人や、シート１０の後方シート（不図示）に乗り込もうとする人によって行われる。
【００１１】
リクライニングレバー２６は、その回転中心を挟んで操作部２６Ａと追加操作部２６Ｂの質量が等しくされている。そのため、このシート１０を搭載した自動車が前突したとき、リクライニングレバー２６の操作部２６Ａの質量によって発生されるリクライニングレバー２６の時計回りの回転モーメントと、追加操作部２６Ｂの質量によって発生されるリクライニングレバー２６の反時計回りの回転モーメントとは互いに等しくされる。その結果、前突に伴う衝突荷重を受けても、リクライニングレバー２６はリクライナー２２のヒンジピン２４をロック解除方向に回転させることはない。
自動車が後突したときは、リクライニングレバー２６の操作部２６Ａと追加操作部２６Ｂに対して上述の前突の場合とは反対方向の回転モーメントがそれぞれ加えられる。この場合も、各回転モーメントは互いに等しいため互いに相殺され、リクライニングレバー２６はリクライナー２２のヒンジピン２４をロック解除方向に回転させることはない。
【００１２】
リクライニングレバー２６と平行してヒンジピン２４には連係リンク３０が結合されており、この連係リンク３０は、上述のようにシートバック１４が大きく前傾されたとき、バックフレーム１８の側部に固定された連係ブラケット３２に押されてヒンジピン２４を回転させると共に、連係リンク３０の端部に固定されたケーブル３４のインナーケーブル３４Ａを牽引する。このようにインナーケーブル３４Ａが牽引されると、インナーケーブル３４Ａの他端（不図示）に結合されたスライドレール３６のロック装置（不図示）がロック解除されて、シートバック１４の前傾と同時にシートクッション１２も前方に移動される、所謂ウォークイン動作が行われる。
【００１３】
リクライナー２２のシート内側（右側）にはシートバック１４用の前傾スプリング２８が配置されている。前傾スプリング２８は、シートバック１４を常時前傾方向に付勢するもので、一般的にはリクライナー２２のシート外側（左側）に配置されている。本実施形態では、前傾スプリング２８がシート内側に配置され、シート外側にはないため、前傾スプリング２８との干渉を考慮することなく、リクライナー２２のシート外側にリクライナー２２の全体を被うようにリクライニングレバー２６を配置することができる。リクライナー２２よりシート外側に前傾スプリング２８を配置すると、リクライニングレバー２６は前傾スプリング２８より更にシート外側に配置せざるを得ず、リクライニングレバー２６がシート外側に大きく突出することになるが、本実施形態ではそのような問題は生じない。
【００１４】
シートクッション１２の下部は、左右に並べて一対設けられているスライドレール３６を介して、前後の脚部４０、４２に支持され、更に前後の脚部４０、４２はフロアＦに支持されている。
また、リクライニングレバー２６のシート内側には、アッパシールド２０が設けられ、ロアアーム４４、リクライナー２２、連係リンク３０、連係ブラケット３２、ケーブル３４等を被うようにされている。更にまた、アッパシールド２０の下方で、スライドレール３６及び前後の脚部４０、４２の上部を被うようにロアシールド３８が設けられている。
【００１５】
第１実施形態によれば、上述のように、自動車が前突、或いは後突したとき、リクライニングレバー２６は、リクライナー２２のヒンジピン２４をロック解除方向に回転されることはない。そのため、リクライニングレバー２６に対してリクライナー２２をロック状態に保つように常時付勢するため、一般的には設けられるロック解除防止用スプリング（リターンスプリング）を省略することができる。その結果、リクライニングレバー２６のロック解除時の操作力を抑制することができる。また、ロック解除防止用スプリングを無くしたため、ロック解除防止用スプリングのためのスプリング取付用ブラケットも無くすことができ、軽量化と低コスト化を図ることができる。
更に、自動車が前突したとき、リクライニングレバー２６の操作部２６Ａの質量によって発生される回転モーメントを、追加操作部２６Ｂの質量によって発生される回転モーメントによって打ち消すため、打ち消すためのみの質量体を別に設ける必要をなくすことができる。その上、一般的には別々に設けられる着座者用のリクライニングレバー２６の操作部２６Ａと、後席者等のための追加操作部２６Ｂとを、一つのレバーにまとめて構成することができる。
更にまた、操作性を考慮してリクライニングレバー２６をシート外側に配置し、前傾スプリング２８をリクライニングレバー２６よりシート内側に配置しているため、リクライニングレバー２６を、シート外側に大きく突出することなく配置することができる。
【００１６】
<第２実施形態>
図４、５は、本発明の第２実施形態を示す。第２実施形態は、自動車用フロントシートのスライドレールに本発明を適用した例を示す。各図中、矢印によりシートを自動車に搭載した際の各方向を示している。以下の説明において、方向に関する記述は、この方向を基準として行うものとする。
図４、５に示すスライドレール５０の基本構造は公知のものであり、公知のものに対して相違する点は、スライドレバー５８の回転中心に関して操作部５８Ａの反対側の端部５８Ｂに質量体６８を設けた点である。その他の構造は従来公知のものであるため、ここでの説明は省略する。
【００１７】
上述の第１実施形態でも説明したとおり、スライドレールはシートクッションの下部で左右に並べて一対設けられているが、図４、５では、スライドレール５０の右側のみが示されている。スライドレバー５８は、全体として平面視門型に形成され、門型のスライドレバー５８の後方の両脚部がスライドレール５０のブラケット５６に対して上下方向に回転自在に取り付けられている。
スライドレバー５８は、前方の操作部５８Ａが上方に操作されると、ブラケット５６を中心として上下方向に回転され、スライドレバー５８の後方の端部５８Ｂは下方に移動される。このようにスライドレバー５８が操作されると、スライドレバー５８によってロッド６０の前端部が持ち上げられ、ロッド６０は前後方向を軸心として回転される。そのため、ロッド６０の後端部に結合されたロックレバー６６がロッド６０の前端部と同様に持ち上げられ、ロックレバー６６の爪（不図示）がロアレール５４とアッパレール５２とに渡って貫通して形成された貫通孔５４Ａに嵌入した状態から外される。従って、ロアレール５４に対してアッパレール５２は自由に移動可能となり、シートクッションの前後スライドを可能としている。
【００１８】
スライドレバー５８の操作部５８Ａは、前端部で上方に屈曲して形成されている。そのため、このシートを搭載した自動車が追突されるなど後突されると、スライドレバー５８の操作部５８Ａは、ブラケット５６を中心として上方に持ち上げられる方向の回転モーメントを受けることになる。
第２実施形態の場合、スライドレバー５８の後方の端部５８Ｂは下方に屈曲されている。そのため、自動車が後突されると、端部５８Ｂは、ブラケット５６を中心として上方に持ち上げられる方向の回転モーメントを受けることになる。
このように自動車の衝突時、スライドレバー５８の操作部５８Ａに発生される回転モーメントと、端部５８Ｂに発生される回転モーメントとは、ブラケット５６を挟んで互いに反対方向となり、互いに打ち消し合うことになる。端部５８Ｂには質量体６８が設けられ、端部５８Ｂに発生される回転モーメントが操作部５８Ａに発生される回転モーメントと等しくなるように質量体６８の質量が設定される。質量体６８は、端部５８Ｂの太さをスライドレバー５８の他の部位に比べて太くすることによって設定することができる。また、端部５８Ｂの長さや屈曲角度を変えることによって、端部５８Ｂによって発生される回転モーメントを調整することができるので、端部５８Ｂの長さや屈曲角度に応じて質量体６８の質量は調整される。
自動車が前突した場合は、操作部５８Ａは、ブラケット５６を中心として下方に押し下げられる方向の回転モーメントを受けることになる。また、端部５８Ｂは、ブラケット５６を中心として下方に押し下げられる方向の回転モーメントを受けることになる。この場合も、操作部５８Ａに発生される回転モーメントと、端部５８Ｂに発生される回転モーメントとは、ブラケット５６を挟んで互いに反対方向となり、互いに打ち消し合うことになる。
従って、スライドレバー５８は、自動車が後突、或いは前突されても、衝突荷重によって回転モーメントを受けることはなく、意に反してスライドレバー５８が操作されてしまうことは防止される。
【００１９】
第２実施形態によれば、上述のように、自動車が後突、或いは前突したとき、スライドレバー５８は、ロックレバー６６をロック解除方向に回転されることはない。そのため、スライドレバー５８に対してロックレバー６６をロック状態に保つように常時付勢するため、一般的には設けられるロック解除防止用スプリングを省略することができる。その結果、スライドレバー５８のロック解除時の操作力を抑制することができる。また、ロック解除防止用スプリングを無くしたため、ロック解除防止用スプリングのためのスプリング取付用ブラケットも無くすことができ、軽量化と低コスト化を図ることができる。
【００２０】
以上、特定の実施形態について説明したが、本発明は、それらの外観、構成に限定されず、本発明の要旨を変更しない範囲で種々の変更、追加、削除が可能である。例えば、
１．操作レバーの質量体の質量は、操作レバーの操作部の質量に対し、等しいか、小さくても良い。但し、後者の場合、つまり小さい場合は、付勢力は小さくても良いが、ロック解除防止用スプリングが必要となる。
２．上記実施形態では、ロック装置として、リクライナーとスライドロック装置の例を説明したが、格納シートのロック装置など、その他のロック装置でも良い。
３．上記実施形態では、シートの左右方向に沿った回転中心を備える操作レバーの例を説明したが、シートの前後方向や、上下方向に沿った回転中心を備える操作レバーに適用しても良い。シートの前後方向や、上下方向に沿った回転中心を備える操作レバーに適用する場合は、車両の側面からの衝突に対応することになる。
４．上記実施形態では、本発明を自動車用シートに適用したが、飛行機用、船用、電車用等のシートに適用しても良い。
【符号の説明】
【００２１】
１０    自動車用フロントシート
１２    シートクッション
１４    シートバック
１６    クッションフレーム
１８    バックフレーム
２０    アッパシールド
２２    リクライナー
２４    ヒンジピン（回転中心）
２６    リクライニングレバー（操作レバー）
２６Ａ  操作部
２６Ｂ  追加操作部
２８    前傾スプリング
３０    連係リンク
３２    連係ブラケット
３４    ケーブル
３４Ａ  インナケーブル
３６    スライドレール
３８    ロアシールド
４０、４２  脚部
４４    ロアアーム
５０    スライドレール
５２    アッパレール
５４    ロアレール
５６    ブラケット
５８    スライドレバー
５８Ａ  操作部
５８Ｂ  端部
６０    ロッド
６２    第１スプリング
６４    第２スプリング
６６    ロックレバー
６８    質量体
【図１】
2014226994.tif 000003
【図２】
2014226994.tif 000004
【図３】
2014226994.tif 000005
【図４】
2014226994.tif 000006
【図５】
2014226994.tif 000007